(57)【要約】【課題】複数のデータ処理装置を使用する場合のデータ紛失を防止できるデータ処理方法を提供する。【解決手段】本発明のデータ処理方法は、ＵＳＢコネクタ１を備えたパーソナルコンピュータ３と、パーソナルコンピュータ３とインターネット４を介して接続するサーバ５とからなるシステムにおいて実施される。予め、パーソナルコンピュータ３をサーバ５に接続してそのデータベース６の一部領域をパーソナルコンピュータの仮想ドライブとするソフトウェアをＵＳＢコネクタ１に格納しておく。ＵＳＢコネクタ１をパーソナルコンピュータ３のＵＳＢポート２に装着すると、ソフトウェアが起動してサーバ５のデータベース６の一部領域をパーソナルコンピュータ３の仮想ドライブとして利用可能な状態にする。【選択図】図１
2008165351.tif 000002
【特許請求の範囲】
【請求項１】
着脱式デバイスを備えたデータ処理装置と、該データ処理装置とインターネットを介して接続するサーバとからなるシステムにおけるデータ処理方法であって、データ処理装置をサーバに接続してその記憶領域の一部をデータ処理装置の仮想ドライブとするソフトウェアを、予め着脱式デバイスに格納しておき、該着脱式デバイスをデータ処理装置に装着すると、前記ソフトウェアが起動して前記サーバの記憶領域の一部をデータ処理装置の仮想ドライブとして利用可能な状態にすることを特徴とするデータ処理方法。
【請求項２】
仮想ドライブに対するデータの書き込みは許可するが、他のドライブに対するデータの書き込みを禁止する専用のアプリケーションソフトウェアを着脱式デバイスまたはサーバに格納しておき、該アプリケーションソフトウェアを、仮想ドライブ作成用のソフトウェアの起動後に起動させることを特徴とする請求項１に記載のデータ処理方法。
【請求項３】
所定の認証手続きを経てサーバへのログオンが行われることを特徴とする請求項１または請求項２に記載のデータ処理方法。
【請求項４】
着脱式デバイスには、仮想ドライブに対するデータの書き込みと読み出しが可能なソフトウェアを格納したものと、仮想ドライブに対するデータの読み出しだけが可能なソフトウェアを格納したものとがあることを特徴とする請求項１ないし請求項３に記載のデータ処理方法。
【請求項５】
インターネットを介してサーバに接続可能なデータ処理装置に着脱され、ＲＯＭ又は読み書き可能なメモリを内蔵する着脱式デバイスであって、前記データ処理装置に装着された際に前記データ処理装置と前記サーバの間の接続を確保する接続確保部と、前記サーバの記憶領域の一部を前記データ処理装置の仮想ドライブと認識させて、汎用ドライブと並列表示させる仮想化処理部と、を備えることを特徴とする着脱式デバイス。
【請求項６】
前記接続確保部は、前記サーバのＵＲＬを記憶するＵＲＬ記憶部と、前記データ処理装置に装着時に、前記データ処理装置が自動起動対象としているデバイス機器である旨の擬似信号を前記データ処理装置に送信するとともに、前記デバイス機器にメディアが無い旨の擬似信号を送信し、更に前記デバイス機器にメディアが存在する旨の擬似信号を送信する自動認識部と、を備えるようにし、
前記仮想化処理部は、前記ＵＲＬに対してアクセスを行うアクセス処理部を備えることを特徴とする請求項５記載の着脱式デバイス。
【請求項７】
前記着脱式デバイスには、前記データ処理装置内で起動して所定の情報処理を行うと共に、前記情報処理によって生成した情報を前記仮想ドライブ側に保存するアプリケーション処理部を備えることを特徴とする請求項５又は６記載の着脱式ドライブ。
【発明の詳細な説明】
【技術分野】
【０００１】
本発明は、パーソナルコンピュータ等のデータ処理装置をインターネットを介しサーバに接続してなるシステムにおけるデータ処理方法、及びデータ処理装置に装着される着脱式デバイスに関する。
【背景技術】
【０００２】
近年、パーソナルコンピュータの普及にともなって、普段使っているパーソナルコンピュータとは別のものを使う機会が増えている。例えば、職場の仕事を自宅に持ち帰ってする場合がそうである。
【発明の開示】
【発明が解決しようとする課題】
【０００３】
様々なパーソナルコンピュータを利用する場合、作業中のデータをフロッピーディスク（登録商標）やＵＳＢメディア等の記憶媒体に記憶させて持ち運ばなければならいという問題があった。また、これらの記憶媒体を紛失してしまうと、最初から作業をやり直さなければならず、それまでの労力が無駄になってしまうという問題があった。
【０００４】
本発明は、このような事情に鑑み、複数のデータ処理装置を使用する場合のデータ紛失を防止できるデータ処理方法を提供することを目的とする。
【課題を解決するための手段】
【０００５】
上記課題を解決するための本発明は、着脱式デバイスを備えたデータ処理装置と、該データ処理装置とインターネットを介して接続するサーバとからなるシステムにおけるデータ処理方法であって、予め、データ処理装置をサーバに接続してその記憶領域の一部をデータ処理装置の仮想ドライブとするソフトウェアを着脱式デバイスに格納しておき、該デバイスをデータ処理装置に装着すると、ソフトウェアが起動してサーバの記憶領域の一部をデータ処理装置の仮想ドライブとして利用可能な状態にすることを特徴とする。
【０００６】
仮想ドライブに対するデータの書き込みは許可するが、他のドライブに対するデータの書き込みを禁止する専用のアプリケーションソフトウェアを着脱式デバイスまたはサーバに格納しておき、該アプリケーションソフトウェアを仮想ドライブ作成用のソフトウェアの起動後に起動させるのが好ましい。
【０００７】
所定の認証手続きを経てサーバへのログオンが行われるのが好ましい。
【０００８】
着脱式デバイスには、仮想ドライブに対するデータの書き込みと読み出しが可能なソフトウェアを格納したものと、仮想ドライブに対するデータの読み出しだけが可能なソフトウェアを格納したものとがあるのが好ましい。
【０００９】
更に上記課題を解決するための本発明は、インターネットを介してサーバに接続可能なデータ処理装置に着脱され、ＲＯＭ又は読み書き可能なメモリを内蔵する着脱式デバイスであって、データ処理装置に装着された際にデータ処理装置とサーバの間の接続を確保する接続確保部と、サーバの記憶領域の一部をデータ処理装置の仮想ドライブと認識させて、汎用ドライブと並列表示させる仮想化処理部と、を備えることを特徴とする。
【００１０】
また、前記着脱式デバイスにおける前記接続確保部は、前記サーバのＵＲＬを記憶するＵＲＬ記憶部と、前記データ処理装置に装着時に、前記データ処理装置が自動起動対象としているデバイス機器である旨の擬似信号を前記データ処理装置に送信するとともに、前記デバイス機器にメディアが無い旨の擬似信号を送信し、更に前記デバイス機器にメディアが存在する旨の擬似信号を送信する自動認識部と、を備えるようにし、前記仮想化処理部は、前記ＵＲＬに対してアクセスを行うアクセス処理部を備えることが好ましい。
【００１１】
また、着脱式デバイスには、データ処理装置内で起動して所定の情報処理を行うと共に、情報処理によって生成した情報を仮想ドライブ側に保存するアプリケーション処理部を備えることが好ましい。
【発明の効果】
【００１２】
本発明によれば、サーバの記憶領域の一部をデータ処理装置の仮想ドライブとして利用できるので、データ処理装置のドライブや着脱式デバイスではなくて、サーバの記憶領域にデータを記憶させることができる。よって、着脱式デバイスを紛失しても、データが紛失することはなし、データ処理装置のドライブからデータを消し忘れることもない。
【発明を実施するための最良の形態】
【００１３】
以下、本発明の実施形態を添付図面に基づいて詳細に説明する。
【００１４】
図１は本発明の実施の形態に係るデータ処理方法を実施するためのシステム及び着脱式デバイスを示している。
【００１５】
このシステムは、ＵＳＢコネクタ（着脱式デバイス）１を装着するためのＵＳＢポート２を備えたパーソナルコンピュータ（データ処理装置）３と、パーソナルコンピュータ３をインターネット４を介して接続するサーバ５とからなる。
【００１６】
図２には、このＵＳＢコネクタ１の機能構成が示されている。このＵＳＢコネクタ１は、接続確保部５０、仮想化処理部５２、アプリケーション処理部５４を備える。なお、これらの各機能は、ＵＳＢコネクタ１に内蔵されるフラッシュメモリやＵＳＢインターフェース等の基本構成部品が、フラッシュメモリ上のソフトウェアを用いて連動することで実現される。なお、ここではフラッシュメモリが内臓される場合を示すが、それ以外にも、ＲＯＭ又は書込み可能な他のメモリであっても構わない。
【００１７】
接続確保部５０は、パーソナルコンピュータ３にこのＵＳＢコネクタ１が装着された際に、パーソナルコンピュータ３とサーバ５の間の接続を確保する。従って、この接続確保部５０には、サーバ５のＩＰアドレスやＵＳＢコネクタ１の所有者の個人情報などが記憶されている。
【００１８】
具体的にこの接続確保部５０は、サーバ５に対する特定のＵＲＬを記憶するＵＲＬ記憶部５０Ａと、自動認識部５０Ｂを備えている。自動認識部５０Ｂは、パーソナルコンピュータ３への装着時に、ＵＳＢコネクタ１自体が、パーソナルコンピュータ３の自動起動対象としているデバイス機器である旨の擬似信号をパーソナルコンピュータ３に送信する。つまり、例えばパーソナルコンピュータ３が、ＣＤ再生デバイスやＤＶＤ再生デバイスを自動起動対象としている場合は、ＵＳＢコネクタ１が、（自身が）ＣＤ再生デバイスやＤＶＤ再生デバイスである旨の信号をパーソナルコンピュータ３に送信する。この結果、パーソナルコンピュータ３はこのＵＳＢコネクタ１を、ＣＤ再生デバイスやＤＶＤ再生デバイスと擬似認識する。
【００１９】
更に、この自動認識部５０Ｂは、この擬装したデバイス機器（ＣＤ再生デバイスやＤＶＤ再生デバイス）にメディア（ＣＤやＤＶＤ）が存在しない旨の擬似信号を一旦送信して、更にその後に、デバイス機器にメディアがある旨の擬似信号を送信する。この結果、パーソナルコンピュータ３は、デバイス機器にメディアが新たに搭載されたと判断して、そのメディアの自動再生を開始することになる。この結果、ＵＳＢコネクタ１でありながらも、そのメモリに記録されているプログラム等の自動起動が可能となる。
【００２０】
仮想化処理部５２は、サーバ３のデータベース６の一部領域をパーソナルコンピュータ３の仮想ドライブと認識させて、この仮想ドライブをパーソナルコンピュータ３上の汎用ドライブと並列表示させる。具体的にこの仮想化処理部５２は、ＵＲＬ記憶部５０Ａに記憶されている上記ＵＲＬに対してアクセスを行うプログラムが格納されているアクセス処理部５２Ｂを有している。従って、上記自動認識部５０Ｂによって、このアクセス処理部５２Ｂのアクセスプログラムが自動起動されて、利用者が操作を行わなくても自動的にサーバ５にアクセスするようになっている。また、このサーバ３のデータベース６の一部領域をパーソナルコンピュータ３の仮想ドライブと認識させるプログラムは、このアクセスプログラムに一体化させるようにしても良く、また、このＵＲＬのアクセス先であるサーバ５側から自動的にパーソナルコンピュータ３に送信されて実行されるようにしても良い。
【００２１】
また、アプリケーション処理部５４は、パーソナルコンピュータ３によって起動されて、表計算や文書編集等の所定の情報処理を行うことを可能にすると共に、この情報処理によって生成した情報（表計算データや文書データ）を、この仮想ドライブ側に強制的に保存する。つまり、このＵＳＢコネクタ１のアプリケーション処理部５４は、仮想ドライブに対するデータの書き込みは許可するが、他のドライブに対するデータの書き込みを禁止する専用のアプリケーションソフトウェアを格納されていることになる。このアプリケーションソフトウェアは、文書作成や表計算、メール送受信などに用いるものである。なお、ここではＵＳＢコネクタ１にアプリケーションソフトウェアを格納している場合を示すが、サーバ５側にアプリケーションソフトウェアを格納しておき、このアプリケーション処理部５４は、サーバ５上のアプリケーションソフトウェアを起動させる機能を有するようにしても良い。
【００２２】
この結果、ＵＳＢコネクタ１には、パーソナルコンピュータ３をサーバ５に接続してそのデータベース６の一部領域をパーソナルコンピュータ３の仮想ドライブとすることができ、また、専用のアプリケーションソフトを利用して作業している限り、常にサーバ５側にデータが保存されるようになる。
【００２３】
次に、図３を参照してこのシステムにおけるデータ処理の手順を説明する。
【００２４】
ＵＳＢコネクタ１をパーソナルコンピュータ３のＵＳＢポート２に装着すると、接続確保部５０によって、ＵＳＢコネクタ１のフラッシュメモリに格納されているソフトウェアがパーソナルコンピュータ３に取り込まれて起動する。すると、ＵＳＢコネクタ１のフラッシュメモリからサーバ５のＩＰアドレスが読み取られ、パーソナルコンピュータ３がインターネット４を介してサーバ５に接続する。
【００２５】
このとき、パーソナルコンピュータ３にはログオン画面が表示され、ＩＤとパスワードの入力が要求される。この認証手続きを経てログオンが完了すると、仮想化処理部５２が起動して、サーバ５のデータベース６の一部領域がパーソナルコンピュータ３の仮想ドライブとして利用可能な状態になる。つまり、パーソナルコンピュータ３によって、サーバ５のデータベース６に対するデータの書き込みと読み出しが可能になる。例えば、ウインドウズをＯＳとするパーソナルコンピュータ３では、マイコンピュータのフォルダを開くと、図４に示すようなドライブ構成が表示される。ここでは、パーソナルコンピュータ３に実在する汎用ドライブＡ，Ｃ、Ｄ、Ｅと並列するようにして、仮想ドライブがＦドライブとして表示される。
【００２６】
ログオンした後は、アプリケーション処理部５４によって、ＵＳＢコネクタ１またはサーバ５に格納されている専用のアプリケーションソフトウェアがパーソナルコンピュータ３内で起動し、サーバ５から必要なデータを読み出して作業を行う。この専用アプリケーションソフトウェアによって保存作業を行うと、作業データが仮想ドライブＦに自動的に保存される。従って、パーソナルコンピュータ３には保存されないで、サーバ５のデータベース６に保存されることになる。
【００２７】
以上のデータ処理方法及びＵＳＢコネクタ１によれば、サーバ５のデータベース６の一部領域をパーソナルコンピュータ３の仮想ドライブとして利用できるので、パーソナルコンピュータ３のドライブや着脱式デバイス１ではなくて、サーバ５のデータベース６にデータを記憶させることができる。よって、着脱式デバイス１を紛失しても、データが紛失することはない。つまり、着脱式デバイス１を再交付してもらえば、サーバ５の記憶データの利用が可能になる。また、ＵＳＢコネクタ１を利用してサーバ５へのアクセスを確保すると共に、専用アプリケーションソフトウェアでので、間違ったサーバに接続したり、保存操作ミスをしたりすることが回避される。
【００２８】
特に、このＵＳＢコネクタ１では、これをパーソナルコンピュータ３に装着するだけで、所定のプログラムが自動起動して、サーバ５のデータベース６の一部領域がパーソナルコンピュータ３に自動的にマウントされる。従って、従来のＵＳＢコネクタ１を利用している感覚と同じように操作するだけで、全ての情報をサーバ５側に保管することが可能となり、利便性と安全性を両立させることが出来る。
【００２９】
さらに、仮想ドライブだけにデータを書き込める専用のアプリケーションソフトウェアを使用しているので、パーソナルコンピュータ３の実際のドライブにデータを保存してしまうことはなく、データの漏出防止が確実なものとなる。
【００３０】
また、所定の認証手続きを経てサーバへのログオンが行われるので、着脱式デバイス１の拾得者の不正使用を防止することができる。
【００３１】
ところで、ＵＳＢコネクタ１の仮想化処理部５２では、仮想ドライブに対するデータの書き込みと読み出しの双方を許容する状態でパーソナルコンピュータ３に認識させるものと、仮想ドライブに対するデータの読み出しだけを許容する状態でパーソナルコンピュータ３に認識させるものとを用意しておくことができる。つまり、データの書き込みと読み出しを可能にするＵＳＢコネクタ１は、管理責任者にだけ交付しておくことで、データの不正な書き換えを防止でき、システムの円滑な運用が可能になる。
【００３２】
なお、以上の実施形態では、ＵＳＢコネクタ１のフラッシュメモリに仮想ドライブ作成用のソフトウェアを格納し、パーソナルコンピュータ３に認識させるようにしているが、本発明はそれに限定されず、ＵＳＢコネクタ１の代わりにＳＤカード８等の他の記録媒体を用いることが出来る。更に例えば、図５に示されるように、データ処理装置として携帯電話やＰＤＡ等のように無線通信によってサーバ５に接続可能な携帯端末３を採用し、この携帯端末３のスロット７に対して、着脱式デバイスとなるＳＤカード８を差し込んで利用しても良い。勿論、ＳＤカードとＵＳＢコネクタの両方を併用してもよく、更には、ＳＤカード８側に接続確保部や仮想化処理部等の機能を実現するソフトウェアを格納しておき、ＵＳＢコネクタ１にはＳＤカードスロットを用意しておくことも好ましい。データ処理装置側にＳＤカードスロットが存在する場合は、ＳＤカードをそのまま利用し、データ処理装置側にＳＤカードスロットが存在しない場合は、ＵＳＢコネクタ１を介してＳＤカードをデータ処理装置に接続することができる。
【００３３】
また、ここでは特に図示しないが、サーバ５のデータベース６への保管を、バックアップ機能として用いることが可能となる。その場合は、ＵＳＢコネクタ１のメモリとデータベース６を自動的に同期させる同期プログラムを、このＵＳＢコネクタ１の内臓メモリに格納しておき、自動的に起動されるようにしておく。なお、この同期プログラムはサーバ５側に格納することも可能である。更に、パーソナルコンピュータ３に表示される仮想ドライブが、サーバ５のデータベース６の一部領域へのアクセスとＵＳＢコネクタ１のメモリ領域へのアクセスを同時に実現させるようにする。この結果、極めて簡易に情報の二重化が達成され、より安全性の高いデータ処理が可能になる。
【図面の簡単な説明】
【００３４】
【図１】本発明の実施形態に係るデータ処理方法を実施するためのシステムを示す図である。
【図２】データ処理方法を実施するための着脱式デバイスの機能構成を示す図である。
【図３】データ処理の手順を示す図である。
【図４】パーソナルコンピュータのドライブ構成を示す画面表示である。
【図５】本発明の実施形態に係るデータ処理方法を実施するための他のシステムを示す図である。
【符号の説明】
【００３５】
１      ＵＳＢコネクタ
２      ＵＳＢポート
３      パーソナルコンピュータ，携帯端末
４      インターネット
５      サーバ
６      データベース
７      スロット
８      ＳＤカード
【図１】
2008165351.tif 000003
【図２】
2008165351.tif 000004
【図３】
2008165351.tif 000005
【図４】
2008165351.tif 000006
【図５】
2008165351.tif 000007